(57)【要約】【課題】本発明は、非接触式端末を用いた自動販売機の商品の購入を確実に行える自動販売機を提供することである。【解決手段】商品選択後に非接触式端末との決済を行う自動販売機において、商品選択後の非接触式端末による決済開始から決済完了までの間、商品選択あるいは貨幣の投入を受け付けないことを特徴とする。【選択図】図２
2008027096.tif 000002
【特許請求の範囲】
【請求項１】
商品選択後に非接触式端末との決済を行う自動販売機において、
商品選択後の非接触式端末による決済開始から決済完了までの間、商品選択を受け付けないことを特徴とする自動販売機。
【請求項２】
貨幣あるいは非接触式端末により、商品購入を可能とする自動販売機において、商品選択後の非接触式端末による決済開始から決済完了までの間、貨幣の投入を受け付けないことを特徴とする自動販売機。
【請求項３】
請求項１または２記載の自動販売機において、タイマを設け、決済開始から所定時間内に決済が完了しなければ、商品選択を無効とすることを特徴とする自動販売機。
【発明の詳細な説明】
【技術分野】
【０００１】
本発明は、電子マネーを搭載する非接触ＩＣカードあるいは携帯電話などの非接触式端末を利用して自動販売機内の商品を購入できるようにした自動販売機に関する。
【背景技術】
【０００２】
自動販売機において、非接触式端末として非接触ＩＣカードを用い、このカードを自動販売機にかざすことにより、商品を購入できる方式が以下のように知られている。
まず、自動販売機に販売開始ボタンを設け、この販売開始ボタンが押されたことにより、非接触ＩＣカードにより販売であると自動販売機側で認識し、この時点で利用者は商品を先に選択する。
この後、自動販売機のアンテナ部に非接触ＩＣカードをかざすと、電力供給ための電波を発信して交信が行われ、購入商品の決済が行われた後、商品の搬出が行われる（例えば、特許文献１参照）。
また、自動販売機において、商品指定スイッチが操作されたことを条件としてリーダライタが読み書き可能なスタンバイ状態となり、このリーダライタに対して非接触式端末としてのデータキャリア（ＩＣカード）を接近させ、購入商品の代金の決済が行われた後、商品の搬出が行われる（例えば、特許文献２参照）。
【特許文献１】特開２００１−１６７３３１号公報
【特許文献２】特開２００２−４９９５６号公報
【発明の開示】
【発明が解決しようとする課題】
【０００３】
上記自動販売機においては、非接触式端末をリーダライタ部にかざすと、決済が開始し、代金の精算が行えると決済完了となるが、この決済開始から決済完了までの間に、次の利用者が間違えて、貨幣の投入あるいは商品選択を行うと、この貨幣投入あるいは商品選択を有効と認識してしまい、実際に商品を購入する利用者と次の利用者との間でトラブルになる可能性があった。
そこで、本発明は、上記の課題に鑑み、非接触式端末を用いた自動販売機の商品の購入を確実に行える自動販売機を提供することを目的とする。
【課題を解決するための手段】
【０００４】
上記目的を達成するために、本発明は、商品選択後に非接触式端末との決済を行う自動販売機において、商品選択後の非接触式端末による決済開始から決済完了までの間、商品選択を受け付けないことを特徴とする。
また、貨幣あるいは非接触式端末により、商品購入を可能とする自動販売機において、商品選択後の非接触式端末による決済開始から決済完了までの間、貨幣の投入を受け付けないことを特徴とする。
さらに、上記構成において、タイマを設け、決済開始から所定時間内に決済が完了しなければ、商品選択を無効とすることを特徴とする。
【発明の効果】
【０００５】
本発明は、非接触式端末が使用可能な自動販売機において、商品選択後の非接触式端末による決済開始から決済完了までの間、商品選択あるいは貨幣投入を受け付けないことで、次の利用者との販売トラブルを未然に防止する。
また、確実に選択商品について決済することなり、販売が確実に行われることになるという効果が得られる。
【発明を実施するための最良の形態】
【０００６】
本発明の実施例について、図１ないし図３を用いて説明する。
図３は、本発明の実施の対象となる自動販売機の概略正面図の一例を示すものであり、自動販売機１は、その本体キャビネット前面に外扉２０を備えており、本体キャビネット内には複数種類の商品を個別に収納する複数（ｎ個）のコラムを備えており、商品選択ボタン２２が押され、販売指令が与えられた場合に押された商品選択ボタン２２に対応する商品の払い出しを行う。
この外扉２０には、その表面側に商品見本展示室２１、販売可能ランプおよび売切ランプを内蔵する商品選択ボタン２２、硬貨投入口２３、紙幣挿入口２４、返却レバー２５、金額表示器２６、硬貨返却口２７、商品取出口２８、非接触式端末としての電子マネーカード１００をタッチするアンテナ部２９、表示部２９ａが設けられている。
【０００７】
商品見本展示室２１は、外扉２０の上部に構成した透明の窓を有し、内部に配列した商品見本２１ａを外部に視認させることが可能である。商品見本展示室２１を通じて視認される商品見本２１ａは、それぞれコラムに収納した商品を現し、商品選択ボタン２２と対応して設けられている。
次に、図１は、本発明の一実施の形態を示す構成ブロック図である。
１１は自動販売機全体を制御し、制御プログラムを記憶するメモリ１１ａおよび各種データを記憶するメモリ１１ｂを備える主制御部である。
この主制御部１１には、カードリーダライタ部１２、硬貨あるいは紙幣の受入、演算を行う貨幣処理部１３、冷熱装置を制御する冷熱制御部１４、商品を搬出する搬出装置を制御する搬出制御部１５、商品選択ボタン２２、金額表示器２６がそれぞれ接続されている。
【０００８】
ここで、カードリーダライタ部１２には、アンテナ部２９、表示部２９ａ、セキュリテイ部を含むコントールユニット１２ａからなり、主制御部１１との通信により販売を行うものである。
なお、電子マネーカード１００としてプリペイド型あるいは後払い型があり、本実施の形態においては、何れの方式でも良い。
次に、図２の概略交信シーケンス図を用いて、販売動作を示す。
まず、販売待機状態において、商品選択ボタン２２が押されると、選択された商品選択ボタン２２の販売可能ランプが点灯し、リーダライタ部１２に選択された商品の引落額である例えば１２０円を送信し、リーダライタ部１２では表示部２９ａに１２０円と表示する。
【０００９】
この時点で、リーダライタ部１２は、アンテナ部２９を介して利用者は保有する電子マネーカード１００を読み取り可能な状態となっており、アンテナ部２９に電子マネーカード１００をかざすと、電子マネーカード１００の認証を行い、認証がＯＫであれば、残高の読み出しを行う。この認証あるいは残高読み出し時点から決済開始として、決済開始であることをリーダライタ部１２から主制御部１１に送信する。
主制御部１１では、この決済開始の信号を受信すると、商品選択ボタン２２の操作を無効とし、また、貨幣の受入れを禁止する。なお、硬貨は硬貨投入口２３に投入されたとしても硬貨返却口２７に返却され、また、紙幣は、紙幣挿入口２４から挿入されたとしても、紙幣挿入口２４に返却される。
一方、リーダライタ部１２では、電子マネーカード１００の残高から引落額を減算して、新たな残高を電子マネーカード１００に書き込む。
【００１０】
書き込みが正常に完了すると、決済完了をリーダライタ部１２から主制御部１１に送信する。
この決済完了にて、主制御部１１では、搬出制御部１５に対し、選択された商品の搬出指示を送信し、搬出装置から商品が商品取出口２８に搬出され、商品選択無効および貨幣受入れ禁止を解除して、次の販売待機状態となる。
このように、決済開始から完了までの間、商品選択および貨幣受入れ禁止することで、仮に、決済開始から完了までの間に交信エラーが発生したとしても、決済が完了していないため、次の販売待機状態には移行しない。
また、所定の時間決済完了が主制御部１１で受信しなければ、タイムアップとして、決済そのものをキャンセルして待機状態とするものであり、さらに、商品選択後、決済開始状態を主制御部１１にて所定時間受信しない場合も同様にキャンセルするものである。
【図面の簡単な説明】
【００１１】
【図１】本発明の一実施の形態を示す構成ブロック図
【図２】本発明の一実施の形態を示す販売動作概略交信シーケンス図
【図３】本発明の一実施の形態を示す自動販売機の概略正面図
【符号の説明】
【００１２】
１          自動販売機
１１        主制御部
１２        リーダライタ部
２２        商品選択ボタン
【図１】
2008027096.tif 000003
【図２】
2008027096.tif 000004
【図３】
2008027096.tif 000005